【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】
送り手段によって送られる筒状包装フィルムの内部に流動性包装物を充填し，しごき手段により前記筒状包装フィルムを予め決められた隙間を残した状態に押圧し，前記筒状包装フィルムを逆送りすることにより前記流動性包装物が充填された前記筒状包装フィルムをしごいて前記隙間を前記流動性包装物で満たし，前記隙間を閉じて前記隙間内の前記流動性包装物を押し退けた状態となる前記筒状包装フィルムの部分に横シール手段によって横シールを形成することから成る流動性包装物の充填包装方法。
【請求項２】
送り手段によって送られる前記筒状包装フィルムに流動性包装物を充填する充填手段，前記筒状包装フィルムに対して進退可能に配設され且つ前記流動性包装物が充填された前記筒状包装フィルムをしごくしごき手段，前記筒状包装フィルムに作用して横シールを形成する横シール手段，及び前記筒状包装フィルムに対する前記流動性包装物の充填から前記横シールの形成までの包装動作を制御するコントローラを具備し，前記コントローラは，前記流動性包装物の充填量に応じて前記送り手段を制御して前記筒状包装フィルムを送り，前記しごき手段を前記筒状包装フィルムに予め決められた隙間を残す位置まで進出させ，前記流動性包装物が充填された前記筒状包装フィルムをしごいて前記隙間を前記流動性包装物で満たすため前記送り手段を逆作動させ，前記隙間を閉じて前記隙間内の前記流動性包装物が押し退けられた状態の前記筒状包装フィルムの部分に前記横シール手段を作用させることから成る流動性包装物の充填包装機。
【請求項３】前記しごき手段は，前記横シール手段が突入可能な貫通孔を有するしごき体と，前記しごき体のしごき側において少なくとも前記貫通孔を覆うシート状のカバーを備えており，前記しごき体の前記貫通孔に突入した前記横シール手段は前記カバーを介して前記筒状包装フィルムに作用することから成る請求項２に記載の流動性包装物の充填包装機。
【請求項４】
前記横シール手段には，前記横シールの上下方向中間位置において前記筒状包装フィルムを切断するカッタが配設されており，前記カバーには前記カッタが通過可能なスリットが形成されていることから成る請求項３に記載の流動性包装物の充填包装機。
【請求項５】
前記コントローラは，前記横シール手段による前記横シールの形成前に前記隙間内の前記流動性包装物を押し退けるため，前記しごき手段を更に進出させて前記流動性包装物で満たされた前記隙間を閉じることから成る請求項２〜４のいずれか１項に記載の流動性包装物の充填包装機。
【請求項６】
前記横シール手段は一対の横ヒートシールバーで構成されており，前記横ヒートシールバーのシール面には横方向に延びる凹溝が形成されていることから成る請求項２〜５のいずれか１項に記載の流動性包装物の充填包装機。
【手続補正２】
【補正対象書類名】明細書
【補正対象項目名】００１６
【補正方法】変更
【補正の内容】
【００１６】
かかる流動性包装物の充填包装方法において，前記しごき手段は，前記横シール手段が突入可能な貫通孔を有するしごき体と，前記しごき体のしごき側において少なくとも前記貫通孔を覆うシート状のカバーを備えることができ、前記しごき体の前記貫通孔に突入した前記横シール手段は前記シート状カバーを介して前記筒状包装フィルムに作用する。横シール手段はしごき体に形成した貫通孔を突入するので，横シール手段の上下において筒状包装フィルムはしごき体で押圧された状態が維持され，流動性包装物が隙間内に戻ることがない。
【手続補正３】
【補正対象書類名】明細書
【補正対象項目名】００１７
【補正方法】変更
【補正の内容】
【００１７】
前記カバーは，金属薄板から形成することができる。しごき手段は横シール手段の近傍に配設されているものであり，横シール手段がヒートシール手段であるとその熱により高温となる。しごき手段を金属薄板から形成することにより，横シール手段から伝わる力や熱に起因するカバーの劣化や損傷が回避される。
【手続補正４】
【補正対象書類名】明細書
【補正対象項目名】００１８
【補正方法】変更
【補正の内容】
【００１８】
また，前記横シール手段には，前記横シールの上下方向中間位置において前記筒状包装フィルムを切断するカッタが配設されており，前記シート状カバーには前記カッタが通過可能なスリットを形成することができる。横シール手段に筒状包装フィルムを横シール位置で切断するカッタを設けておくと，横シール動作と同時に，既に製作された袋包装体を筒状包装フィルムから切断することができる。カッタは，横シール手段の作動に同期して，シート状カバーに形成されているスリットを通過して筒状包装フィルムに到達し，筒状包装フィルムを切断する。
【手続補正５】
【補正対象書類名】明細書
【補正対象項目名】００１９
【補正方法】変更
【補正の内容】
【００１９】
この充填包装機において，前記流動性包装物は液体と固形物との混合物であり，前記隙間は前記液体の通過は許容するが前記固形物の通過を阻止する幅を有しており，前記しごき手段が押圧することにより形成される前記隙間は，前記筒状包装フィルムを逆送りしたときに，前記液体で満たされるものとすることができる。流動性包装物が液体と固形物との混合物であるとき，固形物はしごき手段によって隙間を上昇することが阻止されているので，液体のみが筒状包装フィルムの狭い隙間に上昇する。横シールされるべき筒状包装フィルムの部分は，しごき手段によってしごかれた隙間となっており，固形物が存在しないので，横封止手段が固形物を噛み込むことがない。
【手続補正６】
【補正対象書類名】明細書
【補正対象項目名】００２０
【補正方法】変更
【補正の内容】
【００２０】
流動性包装物の充填包装機において，前記横シール手段による前記横シールの形成前に，前記しごき手段を更に押圧して前記流動性包装物で満たされた前記隙間を閉じることができる。前記隙間を閉じることにより，前記隙間内に残存していた前記流動性包装物が押し退けられ，横シールを形成する際には，隙間となっており且つ横シールが形成されるべき筒状包装フィルムの部分には，流動性包装物が可能な限り排除され，横シールの形成がより一層確実となる。
【手続補正７】
【補正対象書類名】明細書
【補正対象項目名】００２１
【補正方法】変更
【補正の内容】
【００２１】
この充填包装機において，前記送り手段は，サーボモータと前記サーボモータによって駆動され且つ前記筒状包装フィルムと係合する送り部材とから構成することができる。サーボモータは，起動，速度，及び停止の各制御性が良好であり，正逆の送り方向にかかわらず，筒状包装フィルムの送り時期及び送り量を精度良く制御することが可能である。
【手続補正８】
【補正対象書類名】明細書
【補正対象項目名】００２２
【補正方法】変更
【補正の内容】
【００２２】
前記筒状包装フィルムは案内筒に沿って送られ，前記送り部材は，前記案内筒との間で前記筒状包装フィルムを挟み且つ前記サーボモータによって駆動される送りベルト又は送りローラとすることができる。サーボモータの駆動によって送りベルト又は送りローラは，案内筒との間で筒状包装フィルムを挟んで送る。
【手続補正９】
【補正対象書類名】明細書
【補正対象項目名】００２３
【補正方法】変更
【補正の内容】
【００２３】
前記横シール手段を一対の横ヒートシールバーで構成し，前記横ヒートシールバーのシール面には前記筒状包装フィルムの横方向に延びる凹溝を形成することができる。一対の横ヒートシールバーがシート状カバーを介して隙間を形成していた筒状包装フィルムを挟み込むとき，凹溝が形成されている部分以外の横ヒートシールバーの部分が，筒状包装フィルムを強く押圧し，凹溝が形成されている部分では横ヒートシールバーは筒状包装フィルムを殆ど押圧することはない。凹溝が形成されている部分以外の横ヒートシールバーの部分が強く押圧する包装フィルムの部分に残存していた流動性包装物は，凹溝が形成されている部分に対応する筒状包装フィルムの部分に素早く逃げ，流動性包装物を噛むことなく確実なヒートシールが形成される。